(57)【要約】【課題】第１領域及び第２領域においてガイド部に案内される媒体を安定して搬送できる画像読取装置を提供する。【解決手段】画像読取装置１において、第１駆動ローラ４１１、４１２及び第１従動ローラ４１５、４１６は、第１領域１９に位置し、かつ互いに接触する。第２駆動ローラ４１３及び第２従動ローラ４１７は、第２領域２９に位置し、かつ互いの間に隙間Ｇ１を形成する。読取部５５Ｂは、第１駆動ローラ４１１、４１２に対して幅方向の少なくとも一方側に位置し、かつ搬送方向の上流側に突出し、高さ方向の他方側を向く第１面１１１を形成する第１突出部１１０と、第２駆動ローラ４１３に対して幅方向の少なくとも一方側に位置し、かつ搬送方向の上流側に突出し、高さ方向の他方側を向く第２面１２１を形成する第２突出部１２０とを有する。第２面１２１は、第１面１１１より高さ方向の他方側に位置している。【選択図】図１１
2015050505.tif 000002
【特許請求の範囲】
【請求項１】
搬送方向に延びる第１領域と、前記搬送方向に延びるとともに、前記第１領域に対して前記搬送方向と直交する幅方向の一方側から隣接する第２領域とを有する搬送経路を構成するガイド部と、
前記ガイド部に案内される媒体を前記搬送方向に搬送する搬送部と、
前記搬送経路に対して、前記幅方向及び前記搬送方向と直交する高さ方向の一方側に位置し、前記ガイド部に案内される媒体の画像を読み取る読取部とを備え、
前記搬送部は、前記読取部より前記搬送方向の上流側、かつ前記搬送経路に対して前記高さ方向の一方側に設けられ、前記幅方向に延びる駆動軸心周りで回転駆動される同径の第１駆動ローラ及び第２駆動ローラと、
前記搬送経路に対して前記高さ方向の他方側に設けられる第１従動ローラ及び第２従動ローラとを有し、
前記第１駆動ローラ及び前記第１従動ローラは、前記第１領域に位置し、かつ互いに接触し、
前記第２駆動ローラ及び前記第２従動ローラは、前記第２領域に位置し、かつ互いの間に隙間を形成し、
前記読取部は、前記第１駆動ローラに対して前記幅方向の少なくとも一方側に位置し、かつ前記搬送方向の上流側に突出し、前記高さ方向の他方側を向く第１面を形成する第１突出部と、
前記第２駆動ローラに対して前記幅方向の少なくとも一方側に位置し、かつ前記搬送方向の上流側に突出し、前記高さ方向の他方側を向く第２面を形成する第２突出部とを有し、
前記第２面は、前記第１面より前記高さ方向の他方側に位置していることを特徴とする画像読取装置。
【請求項２】
前記ガイド部は、前記第２従動ローラより前記搬送方向の上流側、かつ前記搬送経路に対して前記高さ方向の他方側に設けられる凸部を有し、
前記凸部と前記第２駆動ローラの外周面とに接する第１接線が前記第２面と交わる交点より前記搬送方向の上流側において、前記第２面は、前記第１面より前記高さ方向の他方側に位置している請求項１記載の画像読取装置。
【請求項３】
前記第２面は、前記第１駆動ローラと前記第１従動ローラとのニップ点を通る第２接線より前記高さ方向の一方側に位置している請求項１又は２記載の画像読取装置。
【請求項４】
前記読取部は、前記幅方向において前記第２突出部に隣接し、前記第２駆動ローラより前記搬送方向の下流側から前記第２駆動ローラに向かって前記搬送方向の上流側に突出し、前記高さ方向の他方側を向く第３面を形成する第３突出部をさらに有し、
前記第３面は、前記搬送方向の上流側に向かうにつれて前記高さ方向の一方側に第３傾斜角度で傾斜し、
前記第２面は、前記搬送方向の上流側に向かうにつれて、前記高さ方向の一方側に前記第３傾斜角度より浅い第２傾斜角度で傾斜し、かつ、前記第１面に対する前記高さ方向の距離が小さくなるように傾斜している請求項１乃至３のいずれか１項記載の画像読取装置。
【請求項５】
前記第２面は、前記搬送方向の上流側に向かうにつれて、前記第１面に対する前記高さ方向の距離が大きくなるように傾斜している請求項１乃至３のいずれか１項記載の画像読取装置。
【請求項６】
前記ガイド部は、前記第２駆動ローラに対して前記幅方向の少なくとも一方側に位置し、前記第２突出部より前記搬送方向の上流側から前記第２突出部に向かって前記搬送方向の下流側に延び、前記高さ方向の他方側を向く第４面を有し、
前記第２面における前記搬送方向の上流側の端部は、前記第４面における前記搬送方向の下流側の端部より前記高さ方向の一方側に位置している請求項１乃至５のいずれか１項記載の画像読取装置。
【請求項７】
前記ガイド部に案内される媒体が前記第２駆動ローラの近傍を通過することを検出するセンサをさらに備え、
一対の前記第２突出部が前記第２駆動ローラに対して前記幅方向の一方側と他方側とに位置し、かつ前記搬送方向の上流側に突出し、
前記センサは、前記幅方向において前記一対の第２突出部の一方を挟んで前記第２駆動ローラと反対側に設けられ、
前記一対の第２突出部の一方は、前記一対の第２突出部の他方より前記幅方向の長さが小さい請求項１乃至６のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、ガイド部と搬送部と読取部とを備えている。ガイド部は、搬送経路を構成している。搬送経路は、第１領域と第２領域とを有している。第１領域は、搬送方向に延びている。第２領域は、搬送方向に延びるとともに、第１領域に対して搬送方向と直交する幅方向の一方側から隣接している。より具体的には、特許文献１の図４において、カード原稿搬送領域Ｔ２が第２領域に相当し、シート原稿搬送領域Ｔ１からカード原稿搬送領域Ｔ２を除いた領域が第１領域に相当する。
【０００３】
搬送部は、第１駆動ローラ及び第２駆動ローラと、第１従動ローラ及び第２従動ローラとを有している。第１駆動ローラ及び第２駆動ローラは、搬送方向において読取部より上流側、かつ搬送経路に対して、幅方向及び搬送方向と直交する高さ方向の一方側に設けられている。第１駆動ローラ及び第２駆動ローラは同径であり、幅方向に延びる駆動軸心周りで回転駆動される。第１従動ローラ及び第２従動ローラは、搬送経路に対して高さ方向の他方側に設けられている。第１駆動ローラ及び第１従動ローラは、第１領域に位置し、かつ互いに接触している。第２駆動ローラ及び第２従動ローラは、第２領域に位置し、かつ互いの間に隙間を形成している。読取部は、搬送経路に対して高さ方向の一方側に位置する下側読取部と、搬送経路に対して高さ方向の他方側に位置する上側読取部とからなる。
【０００４】
この画像読取装置では、搬送部がガイド部に案内される媒体を搬送方向に搬送する。そして、上側読取部と下側読取部とは、ガイド部に案内される媒体の画像を読み取る。この際、第２駆動ローラ及び第２従動ローラは、ガイド部の第２領域において案内される幅の狭い媒体を搬送方向に搬送する。その一方、第２駆動ローラ及び第２従動ローラは、互いの間に隙間を形成していることにより、第１領域及び第２領域においてガイド部に案内される幅の広い媒体を挟持しないようにして、その媒体の斜行を抑制している。
【先行技術文献】
【特許文献】
【０００５】
【特許文献１】特開２００８−２８５２５９号公報
【発明の概要】
【発明が解決しようとする課題】
【０００６】
しかし、上記従来の画像読取装置では、第１領域及び第２領域においてガイド部に案内される幅の広い媒体は、第２駆動ローラ及び第２従動ローラの間に隙間が形成されていることにより、幅方向の第２領域側の先端が第２領域で垂れ下がり易い。すると、搬送方向の下流側から第２駆動ローラに対面する下側読取部の部位に、その媒体の垂れ下がった先端がひっかかるおそれがある。この場合、その媒体に斜行や詰まりが発生し易くなり、その媒体を安定して搬送することができなくなってしまう。
【０００７】
本発明は、上記従来の実情に鑑みてなされたものであって、第１領域及び第２領域においてガイド部に案内される媒体を安定して搬送できる画像読取装置を提供することを目的とする。
【課題を解決するための手段】
【０００８】
本発明の画像読取装置は、搬送方向に延びる第１領域と、前記搬送方向に延びるとともに、前記第１領域に対して前記搬送方向と直交する幅方向の一方側から隣接する第２領域とを有する搬送経路を構成するガイド部と、
前記ガイド部に案内される媒体を前記搬送方向に搬送する搬送部と、
前記搬送経路に対して、前記幅方向及び前記搬送方向と直交する高さ方向の一方側に位置し、前記ガイド部に案内される媒体の画像を読み取る読取部とを備え、
前記搬送部は、前記読取部より前記搬送方向の上流側、かつ前記搬送経路に対して前記高さ方向の一方側に設けられ、前記幅方向に延びる駆動軸心周りで回転駆動される同径の第１駆動ローラ及び第２駆動ローラと、
前記搬送経路に対して前記高さ方向の他方側に設けられる第１従動ローラ及び第２従動ローラとを有し、
前記第１駆動ローラ及び前記第１従動ローラは、前記第１領域に位置し、かつ互いに接触し、
前記第２駆動ローラ及び前記第２従動ローラは、前記第２領域に位置し、かつ互いの間に隙間を形成し、
前記読取部は、前記第１駆動ローラに対して前記幅方向の少なくとも一方側に位置し、かつ前記搬送方向の上流側に突出し、前記高さ方向の他方側を向く第１面を形成する第１突出部と、
前記第２駆動ローラに対して前記幅方向の少なくとも一方側に位置し、かつ前記搬送方向の上流側に突出し、前記高さ方向の他方側を向く第２面を形成する第２突出部とを有し、
前記第２面は、前記第１面より前記高さ方向の他方側に位置していることを特徴とする。
【０００９】
本発明の画像読取装置では、第１領域及び第２領域においてガイド部に案内される幅の広い媒体は、第２駆動ローラ及び第２従動ローラの間に隙間が形成されていることにより、幅方向の一端側の先端が第２領域で垂れ下がろうとしても、第１面より高い第２面に当接して、垂れ下がりが抑制される。このため、搬送方向の下流側から第２駆動ローラに対面する読取部の部位に、その媒体の先端がひっかかり難くなり、その結果、その媒体に斜行や詰まりが発生し難い。
【００１０】
したがって、本発明の画像読取装置では、第１領域及び第２領域においてガイド部に案内される媒体を安定して搬送できる。
【００１１】
ガイド部は、第２従動ローラより搬送方向の上流側、かつ搬送経路に対して高さ方向の他方側に設けられる凸部を有していることが望ましい。そして、凸部と第２駆動ローラの外周面とに接する第１接線が第２面と交わる交点より搬送方向の上流側において、第２面は、第１面より高さ方向の他方側に位置していることが望ましい。
【００１２】
この構成によれば、第１領域及び第２領域においてガイド部に案内される幅の広い媒体は、凸部から読取部に向かって搬送される際に例えば重力の影響等により垂れ下がっても、凸部と第２駆動ローラの外周面とに接する第１接線が第２面と交わる交点より搬送方向の上流側で第２面に接触する。ここで、第２面は、少なくともその範囲において、第１面より高さ方向の他方側に位置するので、搬送方向の下流側から第２駆動ローラに対面する読取部の部位に、その媒体の先端が一層ひっかかり難い。
【００１３】
第２面は、第１駆動ローラと第１従動ローラとのニップ点を通る第２接線より高さ方向の一方側に位置していることが望ましい。この構成によれば、第１駆動ローラと駆動軸心が同一、かつ同径である第２駆動ローラより高さ方向の他方側に、第１領域及び第２領域において搬送される幅の広い媒体が搬送されないので、第１領域及び第２領域において媒体を一層安定して搬送できる。
【００１４】
読取部は、幅方向において第２突出部に隣接し、第２駆動ローラより搬送方向の下流側から第２駆動ローラに向かって搬送方向の上流側に突出し、高さ方向の他方側を向く第３面を形成する第３突出部をさらに有していることが望ましい。第３面は、搬送方向の上流側に向かうにつれて高さ方向の一方側に第３傾斜角度で傾斜していることが望ましい。そして、第２面は、搬送方向の上流側に向かうにつれて、高さ方向の一方側に第３傾斜角度より浅い第２傾斜角度で傾斜し、かつ、第１面に対する高さ方向の距離が小さくなるように傾斜していることが望ましい。
【００１５】
この構成によれば、第１領域及び第２領域においてガイド部に案内される幅の広い媒体が第２領域で垂れ下がるだけでなく、巻き癖等によって撓む場合でも、その媒体の撓んだ先端が第２面だけでなく第３面に当接して、垂れ下がり及び撓みが抑制される。この際、第２面が上記のように傾斜していることにより、その媒体を第３面に浅い角度で接触させることができるので、その媒体が第３面にひっかかり難くなる。その結果、第１領域及び第２領域において媒体を一層安定して搬送できる。
【００１６】
第２面は、搬送方向の上流側に向かうにつれて、第１面に対する高さ方向の距離が大きくなるように傾斜していることが望ましい。この構成によれば、第１領域及び第２領域においてガイド部に案内される幅の広い媒体を第２面に一層浅い角度で接触させることができるので、第１領域及び第２領域において媒体を一層安定して搬送できる。
【００１７】
ガイド部は、第２駆動ローラに対して幅方向の少なくとも一方側に位置し、第２突出部より搬送方向の上流側から第２突出部に向かって搬送方向の下流側に延び、高さ方向の他方側を向く第４面を有していることが望ましい。そして、第２面における搬送方向の上流側の端部は、第４面における搬送方向の下流側の端部より高さ方向の一方側に位置していることが望ましい。
【００１８】
この構成によれば、第４面は、第１領域及び第２領域においてガイド部に案内される幅の広い媒体を第２駆動ローラに対して幅方向の少なくとも一方側で案内して、第２面に受け渡す。この際、第２面における搬送方向の上流側の端部が第４面における搬送方向の下流側の端部より高さ方向の一方側に位置しているので、その媒体が第２面の端部にひっかからない。その結果、この画像読取装置では、第１領域及び第２領域において媒体を一層安定して搬送できる。
【００１９】
本発明の画像読取装置は、ガイド部に案内される媒体が第２駆動ローラの近傍を通過することを検出するセンサをさらに備えていることが望ましい。一対の第２突出部が第２駆動ローラに対して幅方向の一方側と他方側とに位置し、かつ搬送方向の上流側に突出していることが望ましい。センサは、幅方向において一対の第２突出部の一方を挟んで第２駆動ローラと反対側に設けられていることが望ましい。そして、一対の第２突出部の一方は、一対の第２突出部の他方より幅方向の長さが小さいことが望ましい。この構成によれば、本発明の作用効果を奏しつつ、センサの設置スペースを確保して、幅方向の大型化を抑制できる。
【図面の簡単な説明】
【００２０】
【図１】実施例１の画像読取装置に係り、トレイが開放位置にある状態の主に前方を示す斜視図である。
【図２】実施例１の画像読取装置に係り、トレイが閉鎖位置にある状態の主に後方を示す斜視図である。
【図３】実施例１の画像読取装置に係り、トレイが閉鎖位置にある状態の主に前方を示す斜視図である。
【図４】実施例１の画像読取装置に係り、トレイが開放位置にある状態を示す模式上面図である。
【図５】実施例１の画像読取装置に係り、図４のＡ−Ａ断面を示す断面図である。
【図６】実施例１の画像読取装置に係り、図４のＢ−Ｂ断面であって、トレイが閉鎖位置にある状態を示す断面図である。
【図７】実施例１の画像読取装置に係り、第２筐体を開いた状態を示す部分斜視図である。
【図８】実施例１の画像読取装置に係り、第１従動ローラ及び第２従動ローラ等を残しつつ第２筐体を取り除いた状態を示す部分斜視図である。
【図９】実施例１の画像読取装置に係り、図４のＣ−Ｃ断面を示す部分断面図である。
【図１０】実施例１の画像読取装置に係り、図４のＤ−Ｄ断面を示す部分断面図である。
【図１１】実施例１の画像読取装置に係り、第１面、第２面、第３面及び第４面の相対関係を示す模式図である。
【図１２】実施例２の画像読取装置に係り、第１面、第２面、第３面及び第４面の相対関係を示す模式図である。
【発明を実施するための形態】
【００２１】
以下、本発明を具体化した実施例１、２を図面を参照しつつ説明する。
【００２２】
（実施例１）
図１に示すように、実施例１の画像読取装置１は、本発明の画像読取装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２３】
＜全体構成＞
図１〜図６に示すように、画像読取装置１は、筐体３０と、トレイ３６とを備えている。筐体３０は、第１筐体３１と第２筐体３２とを有している。
【００２４】
第１筐体３１は、第２筐体３２の上側に位置している。第１筐体３１と第２筐体３２とは、上下方向の間隔を有して互いに対向している。第２筐体３２は、第１側壁部３３Ｒと第２側壁部３３Ｌとを有している。第１側壁部３３Ｒは、第２筐体３２の右側面を構成している。第２側壁部３３Ｌは、第２筐体３２の左側面を構成している。第１側壁部３３Ｒと第２側壁部３３Ｌとは、上側に延びて第１筐体３１を左右方向の外側から挟んでいる。
【００２５】
図１及び図５〜図７に示すように、第１筐体３１は、上面３１Ａ、前面３１Ｂ及び上側案内面３１Ｇを有している。上面３１Ａは、上側を向く平面である。上面３１Ａは、後側から前側に向かって下り傾斜している。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２６】
図１、図２及び図５〜図８に示すように、第２筐体３２は、前面３２Ｂ、下側案内面３２Ｇ及び後面３２Ｃを有している。前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。後面３２Ｃは、後側を向く平面である。後面３２Ｃは、下側に向かって略垂直に延びている。
【００２７】
図２及び図６〜図８に示すように、第２筐体３２は、下側カード案内面３２Ｊ及び上側カード案内面３２Ｈを有している。下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。
【００２８】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００２９】
図４、図６及び図８に示すように、下側カード案内面３２Ｊが下側案内面３２Ｇの水平部分における右端部に連続する位置を合流位置Ｊ１とする。
【００３０】
図１及び図４〜図６に示すように、筐体３０には、第１導入口１１と排出口１３とが形成されている。第１導入口１１に、シートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれる。
【００３１】
より詳しくは、図５に示すように、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１側壁部３３Ｒの近傍から左側の第２側壁部３３Ｌの近傍まで、左右方向に延びている。第１導入口１１の左右方向の長さは、シートＳＨの幅よりも長い。
【００３２】
図１及び図５に示すように、排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側の第１側壁部３３Ｒの近傍から左側の第２側壁部３３Ｌの近傍まで、左右方向に延びている。排出口１３の左右方向の長さは、第１導入口１１と同様、シートＳＨの幅よりも長い。
【００３３】
図４〜図６に示すように、画像読取装置１は、第１ガイド部１０を備えている。第１ガイド部１０は、本発明の「ガイド部」の一例である。第１ガイド部１０は、第１筐体３１の上側案内面３１Ｇと、第２筐体３２の下側案内面３２Ｇとに上下方向から挟まれてなる通路である。第１ガイド部１０は、図４〜図６に示す第１搬送経路Ｐ１を形成している。第１ガイド部１０は、第１搬送経路Ｐ１に沿って、シートＳＨを後側の第１導入口１１から前側の排出口１３へ案内する。第１搬送経路Ｐ１は、本発明の「搬送経路」の一例である。
【００３４】
本実施例において、第１搬送経路Ｐ１が延びる方向である搬送方向は、後側から前側に向かう方向である。換言すると、搬送方向は、第１筐体３１の上側案内面３１Ｇと、第２筐体３２の下側案内面３２Ｇとに上下方向から挟まれてなる通路が延びる方向である。搬送方向の上流側は第１導入口１１側であり、搬送方向の下流側は排出口１３側である。搬送方向と直交する幅方向は、左右方向である。幅方向及び搬送方向と直交する高さ方向は、上下方向である。高さ方向の一方側は下側であり、高さ方向の他方側は上側である。第１搬送経路Ｐ１に対して高さ方向の一方側は、第１ガイド部１０における下側案内面３２Ｇ側である。第１搬送経路Ｐ１に対して高さ方向の他方側は、第１ガイド部１０における上側案内面３１Ｇ側である。
【００３５】
図５及び図６に示すように、第１ガイド部１０は、第１導入口１１から前側に向かって下り傾斜している。第１ガイド部１０は、筐体３０における前後方向の中央において屈曲して前側に向きを変更する屈曲部分を有している。そして、第１ガイド部１０は、屈曲部分から排出口１３まで水平に延びている。
【００３６】
図７に示すように、第２筐体３２は、排出口１３の近傍に位置して左右方向に延びる開閉軸心Ｘ３１周りで開閉可能に第１筐体３１を支持している。第１筐体３１が第２筐体３２に対して上方に離間することにより、第１ガイド部１０が開放される。
【００３７】
図２、図４、図６及び図７に示すように、筐体３０には、第２導入口１２が形成されている。第２導入口１２に、幅の狭いカードＣＡが挿入される。カードＣＡは、小面積の枚葉である。カードＣＡは、例えば、名刺、キャッシュカード、会員証又は免許証等である。カードＣＡも、本発明の「媒体」の一例である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であり、剛性が高い。
【００３８】
より詳しくは、図４及び図６に示すように、第２導入口１２は、第２筐体３２の後面３２Ｃに貫通して形成されている。第２導入口１２は、後面３２Ｃにおける上下方向の中間部、かつ第１側壁部３３Ｒ側に開口している。第２導入口１２は、左右方向に延びている。第２導入口１２の左右方向の長さは、第１導入口１１の左右方向の長さよりも小さい。また、第２導入口１２の左右方向の長さは、カードＣＡの幅よりも長い。第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００３９】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００４０】
図４及び図６に示すように、画像読取装置１は、第２ガイド部２０を備えている。第２ガイド部２０は、第２筐体３２の上側カード案内面３２Ｈと下側カード案内面３２Ｊとに上下方向から挟まれて直線状に延びる通路である。第２ガイド部２０は、合流位置Ｊ１において、第１ガイド部１０に合流する。
【００４１】
第２ガイド部２０が第１ガイド部１０に合流する合流位置Ｊ１は、第１ガイド部１０の屈曲部分の近傍、すなわち、上側案内面３１Ｇ及び下側案内面３２Ｇの前側から後側に向かって下り傾斜する部分から水平に向きを変える部分の近傍に位置している。
【００４２】
図４に示すように、第１ガイド部１０の右端側において、第２ガイド部２０の左右方向の幅と同じ幅で合流位置Ｊ１から排出口１３まで延びる領域をカード搬送領域２９Ｃとする。第２ガイド部２０と、カード搬送領域２９Ｃとは、図４及び図６に示す第２搬送経路Ｐ２を形成している。第２搬送経路Ｐ２は、後側の第２導入口１２から前側の排出口１３の右端側まで水平に延びている。
【００４３】
第２ガイド部２０は、第２導入口１２から挿入されたカードＣＡを第２搬送経路Ｐ２に沿って第１ガイド部１０に合流するように案内する。そして、第１ガイド部１０のカード搬送領域２９Ｃは、そのカードＣＡを第２搬送経路Ｐ２に沿って排出口１３の右端側へ案内する。
【００４４】
図４に示すように、第１搬送経路Ｐ１は、第１領域１９と第２領域２９とを有している。第１領域１９は、第１ガイド部１０において、カード搬送領域２９Ｃより左側で、第１導入口１１から排出口１３まで延びる領域である。第２領域２９は、第１ガイド部１０において、カード搬送領域２９Ｃを含んで第１領域１９に右側から隣接し、第１導入口１１から排出口１３まで延びる領域である。
【００４５】
図１〜図３等に示すように、トレイ３６は、基部３６Ａ、中間部３６Ｂ及び先端部３６Ｃを有している。基部３６Ａは、左右方向に延びる開閉軸心Ｘ３６Ａ周りに揺動可能に第１側壁部３３Ｒ及び第２側壁部３３Ｌに支持されている。中間部３６Ｂは、基部３６Ａの開閉軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４６】
トレイ３６が図１、図４及び図５に示す位置にある状態では、基部３６Ａ、中間部３６Ｂ及び先端部３６Ｃが下側案内面３２Ｇの傾斜部分に連続するように後側に向かって上り傾斜し、第１導入口１１を開放している。図１、図４及び図５に示すトレイ３６の位置を開放位置とする。トレイ３６が開放位置にある状態において、基部３６Ａ、中間部３６Ｂ及び先端部３６Ｃの上側を向く面は、保持面３６Ｈを構成している。ユーザがトレイ３６に１枚又は複数枚のシートＳＨを載置すると、保持面３６ＨがそのシートＳＨを下側から保持する。
【００４７】
一方、トレイ３６が図２、図３及び図６に示す位置にある状態では、基部３６Ａが垂直になって第２筐体３２の後面３２Ｃと面一になり、中間部３６Ｂが第１筐体３１の上面３１Ａを上側から覆い、先端部３６Ｃが第１筐体３１の前面３１Ｂを前側から覆っている。図２、図３及び図６に示すトレイ３６の位置を閉鎖位置とする。トレイ３６が閉鎖位置にある状態において、操作開口３９は、タッチパネル７０を外部に露出させている。
【００４８】
図１、図５及び図８に示すように、画像読取装置１は、左右一対の規制部３６Ｇを備えている。各規制部３６Ｇは、左右方向に摺動可能に基部３６Ａに設けられて、保持面３６Ｈ上に突出している。各規制部３６Ｇは、基部３６Ａ内に配された図示しないラック＆ピニオン機構に連結されている。各規制部３６Ｇは、トレイ３６の保持面３６Ｈに保持されて第１導入口１１に導入されるシートＳＨを左右方向の外側から挟んで左右方向の位置決めを行う。この際、各規制部３６Ｇは、ラック＆ピニオン機構によって連動し、第１導入口１１における左右方向の中央基準でシートＳＨを位置決めする。
【００４９】
図１は、各規制部３６Ｇが左右方向において最も離間した状態を示している。この状態では、各規制部３６Ｇは、Ａ４サイズのシートＳＨを第１導入口１１における左右方向の中央基準で位置決めする。このような幅の広いシートＳＨは、第１領域１９及び第２領域２９において第１ガイド部１０に案内される。図８は、右側の規制部３６Ｇが第１ガイド部１０における左右方向の中央部に接近した状態を示している。図示は省略するが、左側の規制部３６Ｇも第１ガイド部１０における左右方向の中央部に接近している。この状態では、各規制部３６Ｇは、葉書サイズのシートＳＨを第１導入口１１における左右方向の中央基準で位置決めする。図示は省略するが、各規制部３６Ｇは、図８に示す状態からさらに互いに接近することにより、名刺サイズのシートＳＨを第１導入口１１における左右方向の中央基準で位置決めする。このような幅の狭いシートＳＨは、第１領域１９において第１ガイド部１０に案内され、第２領域２９を通過しない。
【００５０】
図４〜図６に示すように、画像読取装置１は、回路基板５４と駆動源４０Ｍと搬送部４０と読取部５５とを備えている。
【００５１】
図５及び図６に示すように、回路基板５４は、第２筐体３２の底部に配されている。回路基板５４は、ＣＰＵ、ＲＯＭ及びＲＡＭ等からなる制御回路を有している。回路基板５４には、ＡＣアダプタ及び給電コードを介して、家庭用コンセントから電力が供給される。回路基板５４は、駆動源４０Ｍ、読取部５５、タッチパネル７０等に電気的に接続され、適宜それらに電力を供給して制御を行う。
【００５２】
図４に示すように、駆動源４０Ｍは、第２筐体３２内における第２側壁部３３Ｌ側に設けられている。駆動源４０Ｍは、図示しないモータ及び伝達ギヤ群を有している。駆動源４０Ｍは、回路基板５４に制御されることにより駆動力を発生する。
【００５３】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、後側から前側から向かって、すなわちシートＳＨの搬送方向の上流側から下流側に向かって、分離ローラ４８及び分離パッド４９、上流側搬送部４１、第２読取部５５Ｂ、第１読取部５５Ａ、下流側搬送部４２という順番で配置されている。以下、この順番で、これらの構成を説明する。
【００５４】
図４、図５、図７及び図８に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。
【００５５】
分離ローラ４８は、回路基板５４が駆動源４０Ｍを制御することにより、駆動源４０Ｍに回転駆動される。分離ローラ４８は、トレイ３６の保持面３６Ｈに保持されたシートＳＨに当接しつつ回転することにより、そのシートＳＨを第１ガイド部１０に送り出す。
【００５６】
図５及び図７に示すように、分離パッド４９は、第１筐体３１に組み付けられている。分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００５７】
図４〜図１０に示すように、上流側搬送部４１は、第１駆動ローラ４１１、４１２と第２駆動ローラ４１３と第１従動ローラ４１５、４１６と第２従動ローラ４１７とを有している。
【００５８】
第１駆動ローラ４１１、４１２と第２駆動ローラ４１３とは、第１ガイド部１０における下側案内面３２Ｇ側に設けられて、第２読取部５５Ｂより第１導入口１１側に位置している。第１駆動ローラ４１１、４１２と第２駆動ローラ４１３とは、上流側駆動軸４１Ｓに固定されている。上流側駆動軸４１Ｓは、駆動源４０Ｍから右側の第１側壁部３３Ｒの近傍まで左右方向に延びている。上流側駆動軸４１Ｓは、合流位置Ｊ１と第２読取部５５Ｂとの間に位置して左右方向に延びる駆動軸心Ｘ４１を中心軸としている。第１駆動ローラ４１１、４１２及び第２駆動ローラ４１３は、同径である。
【００５９】
図４に示すように、第２駆動ローラ４１３は、第２領域２９に位置している。第１駆動ローラ４１１、４１２は、第１領域１９に位置している。第１駆動ローラ４１１は、分離ローラ４８より左側に位置している。第１駆動ローラ４１２は、分離ローラ４８より右側に位置している。第１駆動ローラ４１１、４１２と第２駆動ローラ４１３とは、駆動源４０Ｍの駆動力が上流側駆動軸４１Ｓを介して伝達されることにより駆動軸心Ｘ４１周りで回転駆動される。
【００６０】
図５及び図７〜図９に示すように、第１従動ローラ４１５、４１６は、第１ガイド部１０における上側案内面３１Ｇ側に設けられている。第１従動ローラ４１５、４１６はそれぞれ、対応する第１駆動ローラ４１１、４１２の真上に位置して、第１駆動ローラ４１１、４１２と対向している。第１従動ローラ４１５、４１６は、図示しない付勢バネに付勢されて、第１駆動ローラ４１１、４１２に押し付けられている。要するに、第１駆動ローラ４１１、４１２及び第１従動ローラ４１５、４１６は、第１領域１９に位置し、かつ互いに接触している。そして、第１ガイド部１０に案内されるシートＳＨを第１駆動ローラ４１１、４１２と第１従動ローラ４１５、４１６とが挟持し、搬送力を伝達する。
【００６１】
図６〜図８及び図１０に示すように、第２従動ローラ４１７は、第１ガイド部１０における上側案内面３１Ｇ側に設けられている。第２従動ローラ４１７は、第１従動ローラ４１５、４１６より小径である。図１０及び図１１に示すように、第２従動ローラ４１７は、第１ガイド部１０に対して固定されて左右方向に延びる第２従動軸心Ｘ４１７周りに回転可能に第１筐体３１に支持されている。第２従動ローラ４１７は、第２駆動ローラ４１３に対して上側かつ前側に離間している。要するに、第２駆動ローラ４１３及び第２従動ローラ４１７は、第２領域２９に位置し、かつ互いの間に隙間Ｇ１を形成している。
【００６２】
隙間Ｇ１は、第１領域１９及び第２領域２９において第１ガイド部１０に案内される幅の広いシートＳＨの厚みより大きい。これにより、第２駆動ローラ４１３と第２従動ローラ４１７とは、その幅の広いシートＳＨを挟持しないようになっている。
【００６３】
図７、図１０及び図１１に示すように、第１ガイド部１０における上側案内面３１Ｇ側には、複数の凸部１８０がリブ状に形成されている。各凸部１８０は、第２従動ローラ４１７より合流位置Ｊ１側に位置して、左右方向に並んでいる。図１０及び図１１に示すように、各凸部１８０は、下側案内面３２Ｇに向けて突出している。各凸部１８０の下側を向く端縁は、前側に向かう程下り傾斜している。各凸部１８０の下端は、第２従動軸心Ｘ４１７より第２駆動ローラ４１３に接近している。
【００６４】
なお、図４及び図６に示すように、第２ガイド部２０における上側カード案内面３２Ｈ側には、補助ローラ４１９が設けられている。補助ローラ４１９は、第２導入口１２から導入されるカードＣＡを下側カード案内面３２Ｊに沿わせるように付勢する。
【００６５】
図４、図６及び図７に示すように、第１筐体３２には、センサ９０が設けられている。センサ９０は、第１筐体３２に揺動可能に支持されて、その下端部９０Ａが第２駆動ローラ４１３の右端側まで延びている。センサ９０は、第１ガイド部１０に案内されるシートＳＨ及びカードＣＡが第２領域３９において第２駆動ローラ４１３の近傍を通過することを検出する。センサ９０の検出結果は、回路基板５４に伝達され、第１読取部５５Ａ及び第２読取部５５Ｂの読取開始タイミングの制御等に利用される。
【００６６】
図４〜図１０に示すように、第２読取部５５Ｂは、第１ガイド部１０における下側案内面３２Ｇ側に設けられている。第２読取部５５Ｂは、本発明の「読取部」の一例である。図７〜図１０に示すように、第２読取部５５Ｂは、Ｃｏｎｔａｃｔ  Ｉｍａｇｅ  Ｓｅｎｓｏｒ（以後、「ＣＩＳ」と略す）１００、ＣＩＳホルダ１０１及びコンタクトガラス１０９等を備える。
【００６７】
ＣＩＳ１００は、左右方向に並ぶ複数の読取素子を有して、左右方向に延びている。左右方向は、ＣＩＳ１００の主走査方向である。ＣＩＳホルダ１０１は、左右方向に延びる樹脂製部材であり、その内部にＣＩＳ１００を保持している。ＣＩＳホルダ１０１の上面は、下側案内面３２Ｇの一部を構成している。コンタクトガラス１０９は、ＣＩＳホルダ１０１の上面に組み付けられて、下側案内面３２Ｇに露出している。コンタクトガラス１０９は前後方向に延びており、シートＳＨ及びカードＣＡの搬送方向と平行である。コンタクトガラス１０９の表面に垂直な上下方向は、高さ方向である。
【００６８】
図４に示すように、第２読取部５５Ｂは、右側の第１側壁部３３Ｒの近傍から、左側の第２側壁部３３Ｌの近傍まで左右方向に延びている。第２読取部５５ＢのＣＩＳ１００は、第１ガイド部１０に案内されるシートＳＨ及びカードＣＡの下面の画像をコンタクトガラス１０９を介して読取可能となっている。
【００６９】
図７〜図１０に示すように、ＣＩＳホルダ１０１は、第１突出部１１０と第２突出部１２０と第３突出部１３０とを有している。第１突出部１１０と第２突出部１２０と第３突出部１３０は、ＣＩＳホルダ１０１の上面の後縁部１００Ｅに形成されている。
【００７０】
図７〜図９に示すように、第１突出部１１０は、第１駆動ローラ４１１、４１２のそれぞれの左端側及び右端側に位置し、かつＣＩＳホルダ１０１の後縁部１００Ｅから後側に突出している。図９及び図１１に示すように、第１突出部１１０は、上側を向く第１面１１１を形成している。第１面１１１は、後縁部１００Ｅから後側に向かって下り傾斜している。
【００７１】
図８及び図１０に示すように、第２突出部１２０は、第２駆動ローラ４１３の左端側及び右端側に位置し、かつＣＩＳホルダ１０１の後縁部１００Ｅから後側に突出している。要するに、図８に示すように、一対の第２突出部１２０Ｌ、１２０ＲがＣＩＳホルダ１０１に形成されている。第２突出部１２０Ｌは、第２駆動ローラ４１３の左端側に位置している。第２突出部１２０Ｒは、第２駆動ローラ４１３の右端側に位置している。
【００７２】
下側案内面３２Ｇには、右側の第２突出部１２０Ｒの右側で下方に凹む凹部９０Ｈが形成されている。凹部９０Ｈは、左右方向において、第２突出部１２０Ｒを挟んで第２駆動ローラ４１３と反対側に位置している。凹部９０Ｈには、センサ９０の下端部９０Ａが進入する。右側の第２突出部１２０Ｒの左右方向の長さＷ１は、左側の第２突出部１２０Ｌの左右方向の長さＷ２より小さくされている。これにより、第２筐体３２において、凹部９０Ｈの設置スペースを確保し易くなっている。
【００７３】
図１０及び図１１に示すように、第２突出部１２０は、上側を向く第２面１２１を形成している。第２面１２１は、後縁部１００Ｅから後側に向かって下り傾斜している。
【００７４】
図１１に示すように、第２面１２１は、第１面１１１より上側に位置している。より詳しくは、凸部１８０の下端縁と第２駆動ローラ４１３の外周面４１３Ａとに接する第１接線をＳ１とする。第１接線Ｓ１が第２面１２１と交わる交点をＣ１とする。第２面１２１は、交点Ｃ１より後側において、第１面１１１より上側に位置している。また、第２面１２１は、交点Ｃ１より前側、かつ後縁部１００Ｅより後側においても、第１面１１１より上側に位置している。
【００７５】
第１駆動ローラ４１１、４１２と第１従動ローラ４１５、４１６とのニップ点をＮ１とする。ニップ点Ｎ１を通る第２接線をＳ２とする。第２面１２１は、第２接線Ｓ２より下側に位置している。
【００７６】
図８及び図１０に示すように、第３突出部１３０は、第２突出部１２０Ｌに右側から隣接し、第２突出部１２０Ｒに左側から隣接している。第３突出部１３０は、ＣＩＳホルダ１０１の後縁部１００Ｅから後側の第２駆動ローラ４１３に向かって突出している。図１０及び図１１に示すように、第３突出部１３０は、上側を向く第３面１３１を形成している。第３面１３１は、後縁部１００Ｅから後側に向かって下り傾斜している。
【００７７】
図１１に示すように、第３面１３１は、後側に向かうにつれて下側に第３傾斜角度α３で傾斜している。第２面１２１は、後側に向かうにつれて、下側に第３傾斜角度α３より浅い第２傾斜角度α２で傾斜し、かつ、第１面１１１に対する高さ方向の距離Ｌ１が小さくなるように傾斜している。
【００７８】
図８及び図１０に示すように、第１ガイド部１０は、上側を向く第４面１４１を有している。第４面１４１は、下側案内面３２Ｇの一部である。第４面１４１は、第２駆動ローラ４１３の左端側と右端側とに位置している。図１１に示すように、第４面１４１は、第２突出部１２０より後側から、第２突出部１２０に向かって前側に延びている。第２面１２１の後端部１２１Ｅは、第４面１４１の前端部１４１Ｅより下側に位置している。
【００７９】
図４〜図７に示すように、第１読取部５５Ａは、第１ガイド部１０における上側案内面３１Ｇ側に設けられている。第１読取部５５Ａは、第２読取部５５Ｂと同様に、ＣＩＳ、ＣＩＳホルダ及びコンタクトガラス等を備える。第１読取部５５Ａにおけるコンタクトガラスによって構成される下面は、上側案内面３１Ｇの水平部分において第１ガイド部１０に露出している。図４に示すように、第１読取部５５Ａは、右側の第１側壁部３３Ｒの近傍から、左側の第２側壁部３３Ｌの近傍まで左右方向に延びている。
【００８０】
図４〜図８に示すように、下流側搬送部４２は、下流側駆動ローラ４２１、４２２、４２３、４２４と下流側従動ローラ４２５、４２６、４２７、４２８とを有している。
【００８１】
下流側駆動ローラ４２１、４２２、４２３、４２４は、第１ガイド部１０における下側案内面３２Ｇ側に設けられて、第１読取部５５Ａより排出口１３側に位置している。下流側駆動ローラ４２１、４２２、４２３、４２４は、下流側駆動軸４２Ｓに固定されている。下流側駆動軸４２Ｓは、駆動源４０Ｍから右側の第１側壁部３３Ｒの近傍まで左右方向に延びている。下流側駆動ローラ４２３は、第２領域２９に位置している。下流側駆動ローラ４２１、４２２は、第１領域１９に位置している。下流側駆動ローラ４２４は、第１領域１９に位置し、かつ下流側駆動ローラ４２１より左側に位置している。下流側駆動ローラ４２１、４２２、４２３、４２４は、駆動源４０Ｍの駆動力が下流側駆動軸４２Ｓを介して伝達されることにより回転駆動される。
【００８２】
下流側従動ローラ４２５、４２６、４２７、４２８は、第１ガイド部１０における上側案内面３１Ｇ側に設けられている。下流側従動ローラ４２５、４２６、４２７、４２８はそれぞれ、対応する下流側駆動ローラ４２１、４２２、４２３、４２４の真上に位置して、下流側駆動ローラ４２１、４２２、４２３、４２４と対向している。下流側従動ローラ４２５、４２６、４２７、４２８は、図示しない付勢バネに付勢されて、下流側駆動ローラ４２１、４２２、４２３、４２４に押し付けられている。そして、第１ガイド部１０に案内されるシートＳＨを下流側駆動ローラ４２１、４２２、４２３、４２４と下流側従動ローラ４２５、４２６、４２７、４２８とが挟持し、搬送力を伝達する。また、カード搬送領域２９Ｃにおいて搬送されるカードＣＡを下流側駆動ローラ４２３と下流側従動ローラ４２７とが挟持し、搬送力を伝達する。
【００８３】
図１及び図５に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００８４】
タッチパネル７０は、回路基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、回路基板５４に伝達する。
【００８５】
＜シート及びカードの画像読取動作＞
この画像読取装置１では、以下のようにして、シートＳＨ及びカードＣＡの画像が読み取られる。
【００８６】
図１及び図５に示すように、シートＳＨの画像が読み取られる場合、ユーザにより、トレイ３６が開放位置にある状態とされる。トレイ３６が開放位置にある状態であれば、その状態が維持される。そして、ユーザにより、トレイ３６にシートＳＨが載置される。回路基板５４は、タッチパネル７０からシートＳＨの読取指示があった場合等に、図示しないシート検出センサによってトレイ３６の保持面３６ＨにシートＳＨが保持されていることを確認した上で、シートＳＨの画像読取動作を開始する。
【００８７】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００８８】
次に、上流側搬送部４１の第１駆動ローラ４１１、４１２及び第１従動ローラ４１５、４１６によって、分離ローラ４８に送り出されたシートＳＨを第１ガイド部１０において搬送する。この際、第２従動ローラ４１７が第２駆動ローラ４１３と第１距離Ｌ１で離間していることにより、第１領域１９及び第２領域２９において第１ガイド部１０に案内される幅の広いシートＳＨの右端側は、第２駆動ローラ４１３と第２従動ローラ４１７とに挟持されない。このため、第２駆動ローラ４１３及び第２従動ローラ４１７からそのシートＳＨの右端側に搬送力が伝達されない。
【００８９】
第１ガイド部１０において搬送されるシートＳＨの両面の画像が第１読取部５５Ａ及び第２読取部５５Ｂにより読み取られる。画像が読み取られたシートＳＨは、下流側搬送部４２の下流側駆動ローラ４２１、４２２、４２３、４２４及び下流側従動ローラ４２５、４２６、４２７、４２８によって、排出口１３から筐体３０の外部に排出される。
【００９０】
一方、図２、図３及び図６に示すように、カードＣＡの画像が読み取られる場合、ユーザにより、トレイ３６が閉鎖位置にある状態とされる。トレイ３６が閉鎖位置にある状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９Ｃに到達する。回路基板５４は、タッチパネル７０からカードＣＡの読取指示があった場合等に、図示しないカード検出センサによって第２導入口１２からカードＣＡが挿入されていることを確認した上で、カードＣＡの画像読取動作を開始する。
【００９１】
そうすると、回路基板５４は、駆動源４０Ｍに駆動力を発生させるように制御する。これにより、上流側搬送部４１の第２駆動ローラ４１３、第２従動ローラ４１７及び補助ローラ４１９は、合流位置Ｊ１を経由して排出口１３の右端側に向かうように、第２搬送経路Ｐ２の内側においてカードＣＡを搬送する。すると、第１読取部５５Ａ及び第２読取部５５Ｂにより、そのカードＣＡの両面の画像が読み取られる。図３に示すように、画像が読み取られたカードＣＡは、下流側搬送部４２の下流側駆動ローラ４２３及び下流側従動ローラ４２７によって、排出口１３の右端側から筐体３０の外部に排出される。
【００９２】
＜作用効果＞
実施例１の画像読取装置１では、図１１に示すように、第２駆動ローラ４１３及び第２従動ローラ４１７の間に隙間Ｇ１が形成されている。そして、第１領域１９及び第２領域２９において第１ガイド部１０に案内される幅の広いシートＳＨの右端側の先端が第２領域２９で隙間Ｇ１によって垂れ下がろうとしても、第１面１１１より高い第２面１２１に当接して、垂れ下がりが抑制される。このため、前側から第２駆動ローラ４１３に対面するＣＩＳホルダ１０１の部位、例えば、端面１０１Ａに、そのシートＳＨの先端がひっかかり難くなり、その結果、そのシートＳＨに斜行や詰まりが発生し難い。
【００９３】
したがって、実施例１の画像読取装置１では、第１領域１９及び第２領域２９において第１ガイド部１０に案内される幅の広いシートＳＨを安定して搬送できる。
【００９４】
また、この画像読取装置１では、第１領域１９及び第２領域２９において第１ガイド部１０に案内される幅の広いシートＳＨは、凸部１８０から第１読取部５５Ａ及び第２読取部５５Ｂに向かって搬送される際に例えば重力の影響等により垂れ下がっても、交点Ｃ１より後側で、第１面１１１より上側に位置する第２面１２１に接触する。このため、前側から第２駆動ローラ４１３に対面するＣＩＳホルダ１０１の部位、例えば、端面１０１Ａに、そのシートＳＨの先端が一層ひっかかり難くなる。
【００９５】
さらに、この画像読取装置１では、第２面１２１が第２接線Ｓ２より下側に位置している。このため、第１駆動ローラ４１１、４１２と駆動軸心Ｘ４１が同一、かつ同径である第２駆動ローラ４１３より上側に、第１領域１９及び第２領域２９において搬送される幅の広いシートＳＨが搬送されない。その結果、この画像読取装置１では、第１領域１９及び第２領域２９において幅の広いシートＳＨを一層安定して搬送できる。
【００９６】
また、この画像読取装置１では、第１領域１９及び第２領域２９において第１ガイド部１０に案内される幅の広いシートＳＨが第２領域２９で隙間Ｇ１によって垂れ下がるだけでなく、巻き癖等によって撓む場合でも、そのシートＳＨの撓んだ先端が第２面１２１だけでなく第３面１３１に当接して、垂れ下がり及び撓みが抑制される。この際、第２面１２１が第３傾斜角度α３より浅い第２傾斜角度α２で傾斜していることにより、そのシートＳＨを第３面１３１に浅い角度で接触させることができるので、そのシートＳＨが第３面１３１にひっかかり難くなる。その結果、この画像読取装置１では、第１領域１９及び第２領域２９において幅の広いシートＳＨを一層安定して搬送できる。
【００９７】
さらに、この画像読取装置１では、第４面１４１は、第１領域１９及び第２領域２９において第１ガイド部１０に案内される幅の広いシートＳＨを第２駆動ローラ４１３の左端側と右端側とにおいて案内して、第２面１２１に受け渡す。この際、第２面１２１の後端部１２１Ｅが第４面１４１の前端部１４１Ｅより下側に位置しているので、そのシートＳＨが第２面１２１の後端部１２１Ｅにひっかからない。その結果、この画像読取装置１では、第１領域１９及び第２領域２９において幅の広いシートＳＨを一層安定して搬送できる。
【００９８】
また、この画像読取装置１では、図８に示すように、右側の第２突出部１２０Ｒの左右方向の長さＷ１が左側の第２突出部１２０Ｌの左右方向の長さＷ２より小さい。これにより、第２突出部１２０Ｒの右側に、凹部９０Ｈ及びセンサ９０の下端部９０Ａの設置スペースを確保し易いので、左右方向の大型化を抑制できる。
【００９９】
（実施例２）
図１２に示すように、実施例２の画像読取装置では、実施例１の画像読取装置１に対して、第２突出部１２０の第２面１２１の傾斜角度を変更している。実施例２のその他の構成は、実施例１と同様である。このため、実施例１と同一の構成については同一の符号を付して説明を省略又は簡略する。
【０１００】
実施例２では、第２面１２１は、後側に向かうにつれて、第１面１１１に対する高さ方向の距離Ｌ２１が大きくなるように傾斜している。つまり、第２面１２１の第２傾斜角度α２２は、実施例１における第２傾斜角度α２より浅くなっている。ただし、第２面１２１の後端部１２１Ｅは、実施例１と同様、第４面１４１の前端部１４１Ｅより下側に位置している。
【０１０１】
この構成である実施例２の画像読取装置では、第１領域１９及び第２領域２９において第１ガイド部１０に案内される幅の広いシートＳＨを第２面１２１に一層浅い角度で接触させることができるので、第１領域１９及び第２領域２９において幅の広いシートＳＨを一層安定して搬送できる。
【０１０２】
以上において、本発明を実施例１、２に即して説明したが、本発明は上記実施例１、２に制限されるものではなく、その趣旨を逸脱しない範囲で適宜変更して適用できることはいうまでもない。
【符号の説明】
【０１０３】
１…画像読取装置、１９…第１領域、２９…第２領域、４０…搬送部
Ｐ１…搬送経路（第１搬送経路）、１０…ガイド部（第１ガイド部）
５５Ｂ…読取部（第２読取部）、ＳＨ、ＣＡ…媒体（ＳＨ…シート、ＣＡ…カード）
４１１、４１２…第１駆動ローラ、４１３…第２駆動ローラ
４１５、４１６…第１従動ローラ、４１７…第２従動ローラ
Ｘ４１…駆動軸心、Ｘ４１７…第２従動軸心
Ｇ１…第２駆動ローラと第２従動ローラとの間の隙間
１１１…第１面、１１０…第１突出部、１２１、２２１…第２面
１２０（１２０Ｌ、１２０Ｒ）…第２突出部、１８０…凸部
４１３Ａ…第２駆動ローラの外周面、Ｓ１…第１接線、Ｓ２…第２接線
Ｃ１…第１接線が第２面と交わる交点
Ｎ１…第１駆動ローラと第１従動ローラとのニップ点
１３１…第３面、１３０…第３突出部、α３…第３傾斜角度、α２…第２傾斜角度
Ｌ１、Ｌ２１…第２面の第１面に対する高さ方向の距離、１４１…第４面
１２１Ｅ…第２面における搬送方向の上流側の端部
１４１Ｅ…第４面における搬送方向の下流側の端部
９０…センサ、Ｗ１、Ｗ２…一対の第２突出部の幅方向の長さ
【図１】
2015050505.tif 000003
【図２】
2015050505.tif 000004
【図３】
2015050505.tif 000005
【図４】
2015050505.tif 000006
【図５】
2015050505.tif 000007
【図６】
2015050505.tif 000008
【図７】
2015050505.tif 000009
【図８】
2015050505.tif 000010
【図９】
2015050505.tif 000011
【図１０】
2015050505.tif 000012
【図１１】
2015050505.tif 000013
【図１２】
2015050505.tif 000014